(57)【要約】【課題】本発明は、導風片がフレームの両側壁に安定的に固定されたエアダクトを提供することを目的とする。【解決手段】本発明に係るファンのエアダクトは、中空のフレームと、前記フレーム内に着脱可能に装着される複数の導風部材と、を備え、前記フレームは、２つの対向する側壁を備え、前記２つの側壁には、複数の固定孔がそれぞれ設けられ、各々の前記導風部材は、円柱棒と、前記円柱棒の円周面から延伸する導風片と、を備え、前記円柱棒の両端には、ブロックがそれぞれ設けられ、前記ブロックは、前記フレームの前記両側壁の固定孔をそれぞれ貫通し、対応する側壁の外側に係止される。【選択図】図１
2013191825.tif 000002
【特許請求の範囲】
【請求項１】
中空のフレームと、前記フレーム内に着脱可能に装着される複数の導風部材と、を備えてなるファンのエアダクトであって、
前記フレームは、２つの対向する側壁を備え、前記２つの側壁には、複数の固定孔がそれぞれ設けられ、各々の前記導風部材は、円柱棒と、前記円柱棒の円周面から延伸する導風片と、を備え、前記円柱棒の両端には、ブロックがそれぞれ設けられ、該ブロックは、前記フレームの前記２つの側壁の固定孔を貫通して、対応する側壁の外側に係止されることを特徴とするエアダクト。
【請求項２】
前記円柱棒における前記導風片の両端が接する円周面には、保護部がそれぞれ突設され、該保護部は、前記フレームの対応する側壁の内側に係止されることを特徴とする請求項１に記載のエアダクト。
【請求項３】
各々の前記固定孔は、２つの連通する扇形孔を備え、各々の前記ブロックは、２つの連接する扇形のキャップを備え、前記ブロックの２つのキャップは対応する前記固定孔の前記扇形孔を通過し、前記フレームの対応する側壁の外側に係止されることを特徴とする請求項１または２に記載のエアダクト。
【請求項４】
前記ブロックの両側には、該ブロックを２つのキャップに分ける窪みが設けられ、前記ブロックと対応する保護部との間には、当止部がそれぞれ２つずつ設けられ、各々の前記当止部は、対応する保護部の外側に連接され、且つ対応する前記ブロックと間隔をあけて該ブロックの２つの窪みとそれぞれ対向して位置し、対応する前記固定孔の扇形孔に回転可能にそれぞれ係合されることを特徴とする請求項３に記載のエアダクト。
【発明の詳細な説明】
【技術分野】
【０００１】
本発明は、ファンのエアダクトに関するものである。
【背景技術】
【０００２】
従来の技術において、ファンのエアダクトは、直方体で、且つ中空のフレーム及び該フレーム内に固定される複数の導風片を備える。前記フレームの両側壁には、複数の対向する固定孔がそれぞれ設けられており、各々の前記導風片は、その両端が、前記両側壁の２つの固定孔にそれぞれ挿入されることにより、該フレーム内に固定される。しかし、このような固定方法では、導風片が強い外力を受けた場合、対応する固定孔から脱落し易い。また、前記導風片が、ファンに落下すると、該ファンのブレードを損傷する恐れがある。
【発明の概要】
【発明が解決しようとする課題】
【０００３】
本発明の目的は、前記課題を解決し、導風片がフレームの両側壁に安定的に固定されたエアダクトを提供することである。
【課題を解決するための手段】
【０００４】
上記目的を達成するために、本発明に係るファンのエアダクトは、中空のフレームと、前記フレーム内に着脱可能に装着される複数の導風部材と、を備え、前記フレームは、２つの対向する側壁を備え、前記２つの側壁には、複数の固定孔がそれぞれ設けられ、各々の前記導風部材は、円柱棒と、前記円柱棒の円周面から延伸する導風片と、を備え、前記円柱棒の両端には、ブロックがそれぞれ設けられ、前記ブロックは、前記フレームの前記両側壁の固定孔を通過し、対応する側壁の外側にそれぞれ係止される。
【発明の効果】
【０００５】
本発明に係るファンのエアダクトは、導風部材の円柱棒の両端に、ブロックがそれぞれ設けられ、該ブロックが、フレームの両側壁の固定孔をそれぞれ貫通し、対応する側壁の外側にそれぞれ係止されるので、導風部材をフレームの両側壁に安定的に固定することができる。
【図面の簡単な説明】
【０００６】
【図１】本発明の実施形態に係るエアダクトの組立斜視図である。
【図２】図１に示すエアダクトの分解斜視図である。
【図３】図１のＩＩＩ部分の拡大図である。
【発明を実施するための形態】
【０００７】
図１〜図３に示したように、本発明の実施形態に係るエアダクトは、直方体で、且つ中空のフレーム１０と、該フレーム１０内に固定される複数の導風部材２０と、を備える。なお、図１における紙面手前側を後側、紙面奥側を前側とする。
【０００８】
前記フレーム１０は、２つの側壁１２と、前記２つの側壁１２の上端及び下端から、前記側壁１２に垂直にそれぞれ連接された上壁１４及び底壁１６と、を備える。各々の前記側壁１２の後部には、複数の通孔１２０が側壁１２の長手方向に沿って間隔をあけて、且つ互いに対向して設けられている。各々の前記通孔１２０の内壁には、２つの突設部が対向してそれぞれ設けられている。これにより、前記通孔１２０は、２つの扇形孔１２２に分けられている。
【０００９】
前記導風部材２０は、円柱棒２２と、該円柱棒２２の円周面から径方向外側に向けて延伸する１つの導風片２４と、を備える。導風片２４は、円柱棒２２の延在方向に沿って円柱棒２２の全長にわたって延在する。前記円柱棒２２における前記導風片２４の長手方向の両端に接する円周面には、環状の保護部２６がそれぞれ突設されている。前記円柱棒２２の両端には、ブロック２８がそれぞれ設置され、該各々のブロック２８には、２つの窪み２８２が互いに反対側に位置して設けられている。これにより、前記ブロック２８は、連接する２つの扇形のキャップ２８０に分けられている。前記円柱棒２２における前記保護部２６と対応するブロック２８との間には、当止部３０がそれぞれ２つずつ径方向外側に向けて突設されている。各々の前記当止部３０は、対応する前記保護部２６の外側で円柱棒２２の端部に向けて連接され、且つ対応する前記ブロック２８と間隔をあけて、該ブロック２８の２つの前記窪み２８２とそれぞれ対向して位置する。
【００１０】
前記導風部材２０を、前記フレーム１０と組み立てる際、先ず各々の前記導風部材２０の中央部をそれぞれ湾曲変形させる。次いで、前記ブロック２８の前記窪み２８２を、前記フレーム１０の前記突設部に対向させ、前記導風部材２０を弾性復帰させて、前記ブロック２８を、対応する前記通孔１２０に貫通させる。この際、前記導風部材２０の前記導風片２４は、重力によって自動的に下方向に回転するため、前記ブロック２８の前記キャップ２８０は、対応する前記側壁１２の外側に係止される。前記保護部２６は、対応する前記側壁１２の内側に係止され、前記当止部３０は、対応する前記通孔１２０の前記扇形孔１２２に回転可能にそれぞれ係合される。これにより、前記導風部材２０が脱落することを防ぐことができる。
【００１１】
前記導風部材２０を前記フレーム１０から取り外す際、前記導風部材２０を回転させて、前記ブロック２８の前記キャップ２８０を、対応する前記扇形孔１２２を通過できるように前記扇形孔１２２と対向させた後、該導風部材２０の中央部を湾曲変形させれば、前記ブロック２８を対応する前記通孔１２０から退出させることができる。
【符号の説明】
【００１２】
１０  フレーム
２０  導風部材
１２  側壁
１４  上壁
１６  底壁
１２０  通孔
１２２  扇形孔
２２  円柱棒
２４  導風片
２６  保護部
２８  ブロック
２８０  キャップ
２８２  窪み
３０  当止部
【図１】
2013191825.tif 000003
【図２】
2013191825.tif 000004
【図３】
2013191825.tif 000005